(57)【要約】【課題】万が一害虫などに襲撃された場合に、咄嗟に防護態勢をとることができ、携帯することが容易な緊急防護具をえる。【解決手段】折り畳み可能なシート状の素材１１からなり、展開した状態では、周囲を囲み、天井部１５を閉じ、底部を解放して、人体を収容するのに必要な内部空間を形成し、不使用時は平板状に畳むことができるとともに、複数回にわたり折り畳んで折り重ねることが可能である。【選択図】図１
2019112750.tif 000002
【特許請求の範囲】
【請求項１】
折り畳み可能なシート状の素材からなり、
展開した状態では、周囲を囲み、天井部を閉じ、底部を解放して、人体を収容するのに必要な内部空間を形成し、
不使用時は平板状に畳むことができるとともに、複数回にわたり折り畳んで折り重ねることが可能な緊急防護具。
【請求項２】
前記シート状の素材はアルミ布である請求項１記載の緊急防護具。
【請求項３】
前記シート状の素材の前記周囲を囲む部分には透明フィルムで覆われた窓がある請求項１または２記載の緊急防護具。
【請求項４】
前記シート状の素材の前記天井部の内面には平面ファスナーが固着されている請求項１、２または３記載の緊急防護具。
【請求項５】
前記シート状の素材は、展開した状態で四角柱状の内部空間を形成する請求項１乃至４のいずれかに記載の緊急防護具。
【請求項６】
前記シート状の素材は、展開した状態で円筒状の内部空間を形成する請求項１乃至４のいずれかに記載の緊急防護具。
【請求項７】
前記シート状の素材が展開された状態における前記天井部は、前記周囲を囲む本体部分に対して開閉可能である請求項１乃至６のいずれかに記載の緊急防護具。
【発明の詳細な説明】
【技術分野】
【０００１】
本発明は、例えば、スズメバチなどに襲われた場合などに有効な緊急防護具に関するものである。
【背景技術】
【０００２】
ハイキングや農作業中において、例えばスズメバチの巣の存在を知らずに巣に近づくことにより、スズメバチに襲撃されることがある。そのような場合に、咄嗟に取り出して装着することができる防護具があれば、スズメバチの襲撃による被害を防止することができる。
【０００３】
蜂などの襲撃を見越して予め装着する防虫服と頭部保護ネット及びその保管用部材が特許文献１に記載されている。
【０００４】
特許文献１記載の発明は、蜂などの襲撃の可能性が高い状況の下で屋外作業を行う場合にあらかじめ身体に装着するものである。加えて、頭部を含む身体のほぼ全体を保護ネットで覆い、その状態で屋外作業をするものである。したがって、かなり重装備になり、例えば、ピクニックや農作業時などに使用するのには適さない。
【先行技術文献】
【特許文献】
【０００５】
【特許文献１】特開平１１−３２３６２９号公報
【発明の概要】
【発明が解決しようとする課題】
【０００６】
本発明は、万が一害虫などに襲撃された場合に、咄嗟に防護態勢をとることができ、加えて、携帯することが容易な緊急防護具を提供することを目的とする。
【課題を解決するための手段】
【０００７】
本発明に係る緊急防護具は、
折り畳み可能なシート状の素材からなり、
展開した状態では、周囲を囲み、天井部を閉じ、底部を解放して、人体を収容するのに必要な内部空間を形成し、
不使用時は平板状に畳むことができるとともに、複数回にわたり折り畳んで折り重ねることが可能であることを最も主要な特徴とする。
【発明の効果】
【０００８】
通常は、複数回にわたり折り畳んで折り重ねることによりコンパクトな形態にすることができ、携帯するのに邪魔にならない。害虫が襲撃してきた場合などの緊急時には、折り畳んであるシート状の素材を展開すれば人体が入ることができる内部空間が形成されるため、この空間に入ることにより害虫などの襲撃から身を守ることができる。
【図面の簡単な説明】
【０００９】
【図１】本発明に係る緊急防護具の一実施例であって展開途中の段階を示す斜視図である。
【図２】上記実施例の使用状態を示す斜視図である。
【図３】上記実施例の折り畳みの途中の状態を示す斜視図である。
【図４】上記実施例のさらに折り畳んだ状態を示す斜視図である。
【図５】本発明に係る緊急防護具の別の実施例であって展開した状態を示す斜視図である。
【図６】上記別の実施例の折り畳みの途中の状態を示す斜視図である。
【発明を実施するための形態】
【００１０】
以下、本発明に係る緊急避難具の実施例を、図面を参照しながら説明する。
【実施例１】
【００１１】
図１乃至図４は本発明に係る緊急避難具の第１の実施例を示す。図１乃至図４において、緊急避難具１０は折り畳み可能なシート状の素材１１からなる。本実施例においては、シート状の素材１１としてアルミ布を用いた。シート状の素材１１としては、折り畳みやすく、かつ、使用するときに展開しやすい素材が望ましく、アルミ布が適しているが、アルミ布に限定されるものではない。
【００１２】
シート状の素材１１は、展開した状態で四角形の筒形になるように加工されている。すなわち、四角形のシートの両端縁部が結合され、さらに、正面１２、左右両側面１３および背面１４に区分されるように、上記各面の境界線に沿って折り曲げられている。したがって、上記正面１２、左右両側面１３および背面１４によって周囲を囲み、四角形の内部空間を形成することができる。上記内部空間は、人体を収容するのに必要な平面積と高さが確保されている。
【００１３】
シート状の素材１１は、上記四角形の筒形の上端に、背面１４に連なる天井部１５を有している。天井部１５は、背面１４との境界線に沿って折り曲げることができ、折り曲げることによって上記四角形の筒形の上端を塞ぐことができる。上記四角形の筒形の上端を塞いだ天井部１５は、例えば平面ファスナーなどの結合部材を用いて上記四角形の筒形の上端に結合することができる。
【００１４】
図示の実施例では、正面１２、左右両側面１３および背面１４で形成される緊急防護具１０の本体部分に対して天井部１５が開閉可能になっているが、天井部１５は上記本体部分を塞いだ状態で本体部分に固着されていてもよい。
【００１５】
シート状の素材１１の前記周囲を覆う部分には、透明窓、例えば透明フィルムで覆われた窓が適宜数かつ適宜の位置に形成されている。具体的には、正面１２に四角形の透明の窓１６が、背面１４に四角形の透明の窓１７が形成されている。窓１６，１７はいずれも上記本体部分の上端寄りの位置に形成されている。天井部１５の中央部には四角形の平面ファスナー１８が固着されている。これらの窓１６，１７は、緊急防護具１０の内部から外部を観察するための窓である。
【００１６】
緊急の場合、緊急防護具１０の内部空間に咄嗟に体を収容することができるように、緊急防護具１０が展開された状態で、上記本体部分の下端は開放されている。蜂などが襲撃してきたとき、上面に平面ファスナーを固着した帽子を着用することにより、帽子の平面ファスナーを天井部１５の平面ファスナー１８に結合させて立ち上がる。これに伴って緊急防護具１０が展開され、緊急防護具１０による防護機能を迅速に発揮させることができる。
【００１７】
緊急防護具１０の上記本体部分、図示の実施例では左右両側面１３を構成する部分には、緊急防護具１０の内部空間に入って緊急防護具１０を展開するのに有効なスリット２０が形成されている。上記内部空間に入った人がスリット２０に手指を掛け、天井部１５を頭部で押し上げ、スリット２０を手指で押し下げることにより緊急防護具１０を展開することができる。スリット２０に代えて、上記内部空間側に手指を掛ける紐を設けてもよい。
【００１８】
緊急防護具１０は、折り畳み可能なシート状の素材１１からなっているため、使用しないときは平板状に、かつ、コンパクトに折り畳むことができる。図示の実施例では、縦横に複数の折り線１９が記されている。
【００１９】
図２に示すように、緊急防護具１０を展開した状態における平面形状は正方形になるように、幅方向の寸法Ａと奥行き方向の寸法Ｂが同じになっている。本実施例では、寸法ＡとＢは６０ｃｍに設定されている。上記折り線１９は、寸法ＡとＢに合わせて上下方向に６０ｃｍ間隔で設けられるとともに、その１／２の間隔である３０ｃｍ間隔で、上下方向、横方向および奥行き方向に区分するように設けられている。
【００２０】
図１は、緊急防護具１０を展開する途中の段階を示しており、両側面１３が、縦方向の中央の折り線１９に沿って折れ曲がった状態であり、天井部１５が本体部分に対して開いた状態ある。図２は、図１に示す状態から、緊急防護具１０がすべて展開された状態を示しており、正面１２、両側面１３および背面１４からなる本体部分が平面形状正方形の内部空間を形成し、天井部１５が本体部分の上端を塞いでいる。
【００２１】
図２に示す緊急防護具１０の展開状態において上記内部空間に人が入ることができる。内部空間は正面１２、両側面１３および背面１４によって外部空間から隔離されるため、スズメバチなどの襲撃から防護することができる。内部空間からは窓１６，１７を通して外部の様子を確認することができる。
【００２２】
内部空間からはスリット２０に手指を掛けて、緊急防護具１０の展開時の補助、あるいは緊急防護具１０内に避難したまま場所を移動する必要がある場合に、緊急防護具１０を持ち上げるのに有効である。
【００２３】
緊急防護具１０を使用する必要がないときは、まず、図２に示すように緊急防護具１０が展開した状態から、図１に示すように本体部分に対し天井部１５を開き、折り線１９に沿って緊急防護具１０の本体部分を折り畳む。図２に示す状態は折り畳みの初期の段階で、両側面１３が縦方向の折り線１９に沿って奥行き方向中央から折り畳まれつつある。
【００２４】
図３は両側面１３が縦方向の折り線１９に沿ってほぼ折り畳まれた状態を示しており、折り畳まれた両側面１３と正面１２および背面１４が折り重なる。この状態から天井部１５を背面１４との境界にある折り線１９に沿って折り曲げ、正面１２に折り重ねる。さらに、上下方向に区分している６０ｃｍ間隔の折り線１９に沿って折り畳む。こうして折り畳まれた緊急防護具１０を図４に示す。
【００２５】
図４に示すように、緊急防護具１０は６０ｃｍ四方の正方形状に折り重ねられる。この折り重ねられた状態において横方向および奥行き方向の折り線１９に沿って折り曲げ、３０ｃｍ四方の正方形を形成するように折り畳む。ここまで折り畳まれた緊急防護具１０はコンパクトにまとまるので、例えば専用のバッグなどに収納して携帯することができる。緊急防護具１０は、折り畳むことによってある程度の厚さの四角形にまとまるため、座布団として使用することもできる。
【００２６】
以上説明した緊急防護具１０によれば、折り畳み可能なシート状の素材で作られているため、コンパクトに折り畳むことができ、携帯するのに便利である。スズメバチの襲撃などの緊急時には、折り畳んだ緊急防護具１０を取り出し、展開した緊急防護具１０を被るようにしてその内部空間に身体を入れればよく、素早く防護することができる。
【実施例２】
【００２７】
図５、図６は、本発明に係る緊急避難具の第２の実施例を示す。第２の実施例が前記第１の実施例と異なる点は、本体部分が円筒形であることと、天井部が本体部分に結合されていることである。
【００２８】
図５、図６において、緊急避難具３０は、折り畳み可能な、例えばアルミ布などのシート状の素材３１からなる。シート状の素材３１は、展開された状態において、人体を収容するのに必要な円筒形の内部空間を形成することができる。円筒形の本体部分の上端は円形の天井部３５によって塞がれ、底部は開放している。
【００２９】
図５、図６において、符号３６は、シート状の素材３１によって周囲を円筒形状に取り囲む本体部分に形成された窓を示す。符号３８は、天井部３５のない面側に固着された平面ファスナーを示す。窓２６は透明フィルムで覆われている。符号３９は、第１の実施例における折れ線１９と同様の折れ線を示しており、符号４０は、第１の実施例におけるスリット２０と同様のスリットを示している。
【００３０】
図５は緊急避難具３０を展開した状態を示す。図６は、緊急避難具３０を図５に示す展開状態から、前記本体部分を平板状に折り畳み、かつ、天井部３５を上記平板状の本体部分に重なるように折り畳んだ状態を示す。図６に示す状態からさらに折り線３９に沿って折り畳むと、緊急避難具３０が幾重にも折り重なってコンパクトにまとまり、例えば一辺が３０ｃｍの正方形のシート状の素材３１の重合体となって、携帯に便利な形になる。
【００３１】
第２の実施例においても第１の実施例と同様に、緊急時に展開して人体を収容することができ、蜂などの害虫の襲撃から身を守ることができる。
【００３２】
本発明に係る緊急防護具は、蜂などの害虫の襲撃から身を守る用途に限らず、屋外でにわか雨などに遭遇した場合に、雨除けとしても使用することができる。緊急防護具の大きさは、大人用と子供用というように、複数段階に分けて用意するとよい。
【００３３】
天井部の外側の周辺、例えば前記第１の実施例の場合は天井部１５の４つの角に、吊り下げ用の輪や紐などを設けるとよい。この輪を利用して建物内にあるいは木の枝などに吊り下げることができ、キャンプ時や緊急避難時のプライベート空間、例えば、脱衣所、トイレなどとして使用することもできる。
【符号の説明】
【００３４】
１０    緊急防護具
１１    シート状の素材
１２    正面
１３    側面
１４    背面
１５    天井部
１６    窓
１７    窓
１８    窓
１９    折り線
２０    スリット
３０    緊急防護具
３１    シート状の素材
３５    天井部
【図１】
2019112750.tif 000003
【図２】
2019112750.tif 000004
【図３】
2019112750.tif 000005
【図４】
2019112750.tif 000006
【図５】
2019112750.tif 000007
【図６】
2019112750.tif 000008